【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
ベースと；
該ベースに取り付けられた少なくとも１つの支持部材と；
該支持部材に取り付けられ、前記ベース上方のホーム位置と前記ベースの傍らへの延伸位置との間を移動可能なスライド・アッセンブリと；
該スライド・アッセンブリに取り付けられたテーブル・アッセンブリであって、当該テーブル・アッセンブリが患者と患者支持面との間で移動するときに反対方向に回転する上下のベルトによってそれぞれ囲まれた上下のテーブルを有すると共に、前記上側テーブルを前記下側テーブルから上下方向に分離させる一方、前記上側テーブルの少なくとも１つの側板を横方向に引き込ませるための統合された手段を有する、テーブル・アッセンブリと、
を備えている、ことを特徴とする患者移送装置。
【請求項２】
前記下側テーブルは前記スライド・アッセンブリに取り付けられており、
前記統合された手段は、
前記スライド・アッセンブリに取り付けられた少なくとも１つの端末プレートであって、前記テーブル・アッセンブリの長手方向中心線の方に向かって上方に傾斜した少なくとも１つのガイド溝部をその内部に有する端末プレートと；
前記側板の一端に取り付けられ、前記ガイド溝部に摺動可能に保持されている、少なくとも１つの位置決めポストと、を含んでいる、
ことを特徴とする請求項１に記載の患者移送装置。
【請求項３】
前記統合された手段は、回転ディスクと、該ディスクの周縁領域へ回転可能に取り付けられた第１端部と前記位置決めポストに回転可能に取り付けられた第２端部とを有する少なくとも１本の連繋アームと、を備えたクランク・アッセンブリを更に含んでいる、ことを特徴とする請求項２に記載の患者移送装置。
【請求項４】
前記側板は複数の横方向リブを支持しており、該リブは、前記側板の引き込みが中央板を持ち上げるように、前記上側テーブルの前記中央板に取り付けられている、ことを特徴とする請求項３に記載の患者移送装置。
【請求項５】
前記統合された手段は、前記側板の挿入角度を更に調整しながら、当該側板を引き込ませると共に上下のテーブルを分離させる、ことを特徴とする請求項１に記載の患者移送装置。
【請求項６】
ベースと；
該ベースに取り付けられた少なくとも１つの支持部材と；
該支持部材に取り付けられ、前記ベース上方のホーム位置と前記ベースの傍らへの延伸位置との間を移動可能なスライド・アッセンブリと；
該スライド・アッセンブリに取り付けられたテーブル・アッセンブリであって、前記テーブルが患者と患者支持面との間で移動するときに反対方向に回転する上下のベルトによってそれぞれ囲まれた上下のテーブルを有すると共に、側板の挿入角度を調整しながら前記上側テーブルの少なくとも１つの側板を横方向に引き込ませるための統合された手段を有する、テーブル・アッセンブリと、
を備えている、ことを特徴とする患者移送装置。
【請求項７】
前記統合された手段は、
前記スライド・アッセンブリに取り付けられた少なくとも１つの端末プレートであって、異なる傾斜角度を有する少なくとも２つのガイド溝部をその内部に有する端末プレートと；
前記側板の一端に取り付けられ、前記ガイド溝部に摺動可能に保持されている、少なくとも２つの位置決めポストと、を含んでいる、
ことを特徴とする請求項６に記載の患者移送装置。
【請求項８】
前記統合された手段は、回転ディスクと、該ディスクの周縁領域へ回転可能に取り付けられた第１端部と前記位置決めポストの１つに回転可能に取り付けられた第２端部とを有する少なくとも１本の連繋アームと、を備えたクランク・アッセンブリを更に含んでいる、ことを特徴とする請求項７に記載の患者移送装置。
【請求項９】
前記側板の外側縁部は、当該側板部が延伸位置にあるときには下方に向けて傾斜し、前記側板が引き込み位置にあるときには概略的に平坦である、ことを特徴とする請求項６に記載の患者移送装置。
【請求項１０】
下側ベルトテーブルと、エアマットレスを支持する引き込み可能な左右の側板を有する上側ベルトテーブルと、を含むテーブル・アッセンブリを有する患者移送装置上に患者を取得する方法であって：
前記テーブル・アッセンブリを前記患者移送装置の一側へ移動させて、第１バルブが前記エアマットレスの第１の入口／排出ポートを開くように制御し、第２バルブが前記エアマットレスの第２の入口／排出ポートを開くように制御する、延伸位置に前記側板が在る間に、前記テーブル・アッセンブリを前記患者と患者支持面との間に位置させるステップと；
前記第１バルブが開かれ前記第２バルブが閉じられる遷移位置へ、前記側板を部分的に引き込ませるステップと；
前記側板が前記遷移位置に在る間、前記入口／排出ポートを介して、前記エアマットレスを実質的に膨張させるステップと；
前記第１バルブが閉じられ前記第２バルブも閉じられる引き込み位置へ、前記側板を完全に引き込ませるステップと、
を備える、ことを特徴とする方法。
【請求項１１】
前記患者移送装置の第１端部に在る前記第１の入口／排出ポートを用いて、前記エアマットレスの第１部分が膨張させられ；
前記患者移送装置の第２端部に在る前記第２の入口／排出ポートを用いて、前記エアマットレスの第２部分が膨張させられる、
ことを特徴とする請求項１０に記載の方法。
【請求項１２】
前記第１バルブは、前記患者移送装置の第１端部で前記側板の相対運動によって開閉される一方、
前記第２バルブは、前記患者移送装置の第２端部で前記側板の相対運動によって開閉され、
前記遷移位置では、前記第１端部よりも前記第２端部でより大きく前記側板が引き込まれるように、前記側板は前記両端部で異なって引き込まれることができる、
ことを特徴とする請求項１０に記載の方法。
【請求項１３】
患者移送装置用のテーブル・アッセンブリであって：
下側ベルトテーブルと；
引き込み位置と延伸位置との間で移動可能な左右の側板を有する上側ベルトテーブルであって、前記延伸位置では、前記左右の側板が、その第１端部と第２端部とで独立して引き込み可能であり、前記端部で差動延伸をもたらす、上側ベルトテーブルと、
を備えている、ことを特徴とするテーブル・アッセンブリ。
【請求項１４】
前記上側ベルトテーブルは、
前記上側ベルトテーブルの長手方向の中心線に沿って配置された中央板部と；
前記左右の側板の第１端部に近接して前記中央板部に固定された、第１の伸長するＵ字形状のブラケットと；
右ネジ部と左ネジ部とを備え前記第１のＵ字形ブラケット内で伸長する第１送りネジと、それぞれ該第１送りネジの前記右ネジ部および左ネジ部に対してネジが形成され前記第１のＵ字形ブラケット内で摺動可能に保持された、右雌ネジを備えた第１外側ナット及び左雌ネジを備えた第１内側ナットと、を有する第１ネジ式ジャッキであって、前記第１外側ナットは、その第２の端部が前記左側板および右側板に回転可能に取り付けられている第１の棒材対の第１の端部を回転可能に支持し、前記第１内側ナットは、その第２の端部が前記左側板および右側板に回転可能に取り付けられている第２の棒材対の第１の端部を回転可能に支持している、第１ネジ式ジャッキと；
前記中央板に取り付けられると共に前記第１送りネジに結合された第１電動歯車モータと；
前記左右の側板の第２端部に近接して前記中央板に固定された、第２の伸長するＵ字形状のブラケットと；
右ネジ部と左ネジ部とを備え前記第２のＵ字形ブラケット内で伸長する第２送りネジと、それぞれ該第２送りネジの前記右ネジ部および左ネジ部に対してネジが形成され前記第２のＵ字形ブラケット内で摺動可能に保持された、右雌ネジを備えた第２外側ナット及び左雌ネジを備えた第２内側ナットと、を有する第２ネジ式ジャッキであって、前記第２外側ナットは、その第２の端部が前記左側板および右側板に回転可能に取り付けられている第３の棒材対の第１の端部を回転可能に支持し、前記第２内側ナットは、その第２の端部が前記左側板および右側板に回転可能に取り付けられている第４の棒材対の第１の端部を回転可能に支持している、第２ネジ式ジャッキと；
前記中央板に取り付けられると共に前記第２送りネジに結合された第２電動歯車モータであって、前記第１電動歯車モータと当該第２電動歯車モータとは個別に電圧が加えられて、前記左右の側板の前記端部の差動延伸を達成する、第２電動歯車モータと；
を含んでいる、ことを特徴とする請求項１３に記載のテーブル・アッセンブリ。
【請求項１５】
前記上側ベルトテーブルは、前記第１ネジ式ジャッキに近接して配置された複数の第１センサと前記第２ネジ式ジャッキに近接して配置された複数の第２センサとを更に含み、これらセンサは、前記左右の側板の第１及び第２の端部の各々が、引き込み位置に在るとき、遷移位置に在るとき、及び延伸位置に在るとき、を示す信号をもたらす、ことを特徴とする請求項１４に記載のテーブル・アッセンブリ。
【請求項１６】
ベースと、該ベースに取り付けられたフレームと、該フレームに取り付けられて患者を支持すると共に、逆向きに回転するそれぞれの上下のベルトによって囲まれた上下のテーブルを含むテーブル・アッセンブリと、を有する移送装置を用いて患者を引き渡す方法であって：
前記ベースを静止状態に維持しながら、前記上下のテーブルが完全に分離した状態で前記テーブル・アッセンブリを、前記ベースの上方のホーム位置から、前記ベースに隣接し第１患者支持面の上方の延伸位置へ移動させるステップと；
前記上側テーブルの駆動側板を前記下側テーブルとの強制的な接触状態にさせる一方、前記上側テーブルの引き渡し側の側板と前記下側テーブルとの間での、前記テーブル・アッセンブリの引き渡し側部に沿った分離状態を維持するステップと；
前記上側テーブルの引き渡し側の側板が前記下側テーブルから分離され、前記上側テーブルの駆動側板が前記下側テーブルと強制的に接触させられている間に、
前記患者を前記第１患者支持面上に降ろすために、前記上下のベルトを反対方向に回転させるステップと、
を備えている、ことを特徴とする方法。
【請求項１７】
前記引き渡し側の側板は、その端部に外側縁部に近接して一対の外側位置決めポストを有し、該外側位置決めポストは、上昇位置と下降位置との間で移動可能である調節可能な溝付きブラケット内で摺動可能に支持されており；
前記引き渡し側の側板の前記下側テーブルからの分離は、前記調節可能な溝付きブラケットを前記上昇位置に選択的に保持することによって維持されている、
ことを特徴とする請求項１６に記載の方法。
【請求項１８】
前記ベースを静止状態に維持しながら、前記上下のテーブルを強制的に接触させて、前記テーブル・アッセンブリを、前記患者の下側であるが第２支持面上に載るように置いた状態で、前記テーブル・アッセンブリを前記ホーム位置から前記延伸位置へ向かって移動させるステップと；
前記下側テーブルは前記第２患者支持面上に載ったままで、前記延伸位置に在る前記テーブル・アッセンブリが、前記上側テーブル上の前記第２患者支持面の上方に患者を持ち上げた状態で、上下のテーブルを分離させるステップと；
前記上側テーブル上に前記患者を支持し、上下のテーブルを完全に分離した状態に維持しながら、前記テーブル・アッセンブリを前記ホーム位置へ移動させるステップと、
により、引き渡しに先立って、第２患者支持面から前記患者を取得するステップを更に備えている、ことを特徴とする請求項１６に記載の方法。
【請求項１９】
患者移送装置用のテーブル・アッセンブリであって：
下側エンドレスベルトによって囲まれた下側ベルトテーブルと；
上側エンドレスベルトによって囲まれた上側ベルトテーブルであって、前記下側ベルトテーブルから分離した上昇位置と前記下側ベルトテーブルに強制的に接している下降位置との間を、独立して移動可能な左右の側板を有している、上側ベルトテーブルと、
を備えている、ことを特徴とするテーブル・アッセンブリ。
【請求項２０】
前記上側ベルトテーブルの各端部にそれぞれ配置された一対の端末プレートを更に備え、各端末プレートは、前記左右の側板の外側位置決めポストを摺動可能に支持する一対の調節可能な溝付きブラケットを有し、該調節可能な溝付きブラケットは、上昇位置と下降位置との間で移動可能である、ことを特徴とする請求項１９に記載のテーブル・アッセンブリ。
【請求項２１】
前記上昇位置において前記上側ベルトテーブルの引き渡し側に配置された、２つの前記調節可能な溝付きブラケットを、選択的に保持する手段を更に備えている、ことを特徴とする請求項１９に記載のテーブル・アッセンブリ。